(57)【要約】【課題】泡消火薬剤混合器の点検に際し、従来のように或る防火区域である駐車場等で泡を放出させるに代えて、ＢＯＤ，ＣＯＤの値が小さい着色剤水溶液からなる擬似液を使用することにより発泡装置の設置場所の防火区域である駐車場等での泡放出により生じる泡の回収、運搬、廃棄処理にかかる手間や費用の削減、時により環境を悪化させるという可能性をなくすることのできる泡消火薬剤混合器の点検方法を提供する。【解決手段】着色剤水溶液からなる擬似液を前記混合器により水と比例混合し、その混合水溶液の吸光度を比色法で測定し、予め規定濃度に希釈した擬似液と吸光度の関係を求めて作成した検量線から、擬似液混合水溶液の混合率を求める一方、前記混合器のオリフィス径である条件を変えた時の、泡原液と擬似液の混合率を各々求め、得られた関係曲線から擬似液での混合濃度を測定することで、泡原液での前記混合器の混合性能の是非を確認する。【選択図】なし【特許請求の範囲】
【請求項１】
泡消火薬剤混合器の混合性能を点検する方法において、着色剤水溶液からなる擬似液を前記混合器により水と比例混合し、その混合水溶液の吸光度を測定し、予め規定濃度に希釈した擬似液と吸光度の関係を求めて作成した検量線から、擬似液混合水溶液の混合率を求める一方、前記混合器のオリフィス径である条件を変えた時の、泡原液と擬似液の混合率を各々求め、得られた関係曲線から擬似液での混合濃度を測定することで、泡原液での前記混合器の混合性能を確認することを特徴とする、泡消火薬剤混合器の点検方法。
【請求項２】
前記比色法は分光光度計で行う、請求項１記載の泡消火薬剤混合器の点検方法。
【発明の詳細な説明】
【技術分野】
【０００１】
本発明は、泡消火設備における泡消火薬剤混合器の混合性能を点検する方法に関する。
【背景技術】
【０００２】
泡消火設備には泡消火薬剤混合装置（混合器）が備えられる（例えば、特許文献１，２，３参照）。泡消火薬剤混合器は、消火水の流量に合せて、泡消火薬剤を所定の希釈濃度（混合率）に比例混合させて泡水溶液を作るものであって、泡消火設備にとって非常に重要な構成装置である。したがって、泡消火設備に限らず、日常的に使用されることのない消火設備は常に最良の状態に維持し続けなければならない。法定点検を実施するのは勿論のこと、日常の点検をできる限り行うことによって、機能上の不備を早期に発見し対処しておくことが重要である。泡消火薬剤混合器の点検においても然りである。
【０００３】
泡消火薬剤混合器の混合性能を点検するにあたっては、一般に、泡消火薬剤混合器により泡原液タンク内の泡原液と希釈水とを混合し、泡ヘッド等の発泡装置から泡を放出し、その泡水溶液を採取してその屈折率を濃度計で測定する。この点検時に放出された泡水溶液の測定した屈折率と、予め測定した２，３，４，５％の泡消火薬剤希釈水溶液の屈折率とを比較して泡消火薬剤混合器の混合濃度性能を確認していた。
【０００４】
【特許文献１】特開２００１−５７３号公報
【特許文献２】特開２００１−２７６２５３号公報
【特許文献３】特開２００６−７５６４４号公報
【発明の開示】
【発明が解決しようとする課題】
【０００５】
しかしながら、泡消火薬剤混合器の上記点検方法で使用される泡原液は、高濃度のたん白質を加水分解したものや合成界面活性剤を基剤とし、安定剤や発泡材等を混合器で混合された後、泡ヘッド等の発泡装置で放出されると、設置場所である駐車場等に約６〜１２倍の泡となって飛散する。この泡は、ＢＯＤ，ＣＯＤの値が共に非常に大きくそのまま下水道や河川に放流することができないため、回収した後、廃棄物処理業者に搬送し、処分されているが、容量が非常に大きくなるため、廃棄処理コストや輸送コストが高くつくという問題があった。
また、点検後の作業において、放射された泡の回収も非常に手間がかかり、作業方法によってはその一部を排水路を通じて下水道に放出させる等環境を悪化させる可能性も含んでいた。
【０００６】
本発明は、上記問題を解決するためになされたもので、その目的とするところは、泡消火薬剤混合器の点検に際し、前述した従来の泡消火薬剤混合器の点検方法のように或る防火区域である駐車場等で泡を放出させて点検するに代えて、ＢＯＤ，ＣＯＤの値が小さい着色剤水溶液からなる擬似液を使用することにより発泡装置の設置場所の防火区域である駐車場等での泡放出により生じる泡の回収、運搬、廃棄処理にかかる手間や費用の削減、時により環境を悪化させるという可能性をなくすることのできる泡消火薬剤混合器の点検方法を提供することにある。
【課題を解決するための手段】
【０００７】
本発明は、請求項１に記載のように、泡消火薬剤混合器の混合性能を点検する方法において、着色剤水溶液からなる擬似液を前記混合器により水と比例混合し、その混合水溶液の吸光度をたとえば比色法で測定し、予め規定濃度に希釈した擬似液と吸光度の関係を求めて作成した検量線から、擬似液混合水溶液の混合率を求める一方、前記混合器のオリフィス径である条件を変えた時の、泡原液と擬似液の混合率を各々求め、得られた関係曲線から擬似液での混合濃度を測定することで、泡原液での前記混合器の混合性能を確認することに特徴を有するものである。
【０００８】
請求項１に記載の泡消火薬剤混合器の点検方法は、請求項２に記載のように、前記比色法は分光光度計で行うことができる。
【発明の効果】
【０００９】
本発明の泡消火薬剤混合器の点検方法によれば、着色剤水溶液からなる擬似液を使用するため、前述した従来の泡消火薬剤混合器の点検方法のように或る防火区域である駐車場等で泡を放出させる作業を省略でき、泡の回収、運搬、廃棄処理にかかっていた手間や費用を削減でき、しかも着色剤水溶液からなる擬似液はＢＯＤ，ＣＯＤの値が小さいため、環境を悪化させる可能性もない。
【発明を実施するための最良の形態】
【００１０】
以下、本発明に係る泡消火薬剤混合器の点検方法の好適な実施例を説明する。
【００１１】
図１は泡消火設備の構成例を示す。この泡消火設備は、駐車場等の防火区域Ａ内に多数の閉鎖型泡ヘッド１が設置される閉鎖型の泡消火設備であって、この泡消火設備それ自体は周知のものであり、消火水を貯蔵する貯水槽３、加圧送水装置４、泡原液タンク５、泡消火薬剤混合器６、流水検知装置（自動警報弁）７、消火ポンプ制御盤８、消火システム制御盤（火災受信機）９等を備える。
【００１２】
図１において、加圧送水装置４は送水ポンプ１０とこれを駆動するモータ１１を有し、送水ポンプ１０は貯水槽３から消火水を吸入し、吸入した消火水を加圧して給水本管１２に圧送する。送水ポンプ１０のモータ１１は消火ポンプ制御盤８により起動、停止される。送水ポンプ１０の近傍の所定高さ位置には呼水槽１３が設置され、この呼水槽１３から送水ポンプ１０の吐出側に呼水供給管１４が接続されている。この呼水槽１３には水位センサ１５が設けられ、水位センサ１５の水位検出信号が消火ポンプ制御盤８に印加されて消火ポンプ制御盤８が満水警報（上限警報）と減水警報（下限警報）を出力するように構成されている。
【００１３】
消火ポンプ制御盤８は消火システム制御盤（火災受信機）９と接続され、流水検知装置７からの流水検知信号を受信して加圧送水装置４へ起動信号を送るようにしている。
【００１４】
加圧送水装置４から流水検知装置７の一次側までの配管系統には、加圧送水装置４からの加圧消火水と泡原液タンク５からのたん白泡原液とを所定割合に混合して泡水溶液とする、プレッシャープロポーショナ方式、あるいはポンププロポーショナ方式、ラインプロポーショナ方式等の泡消火薬剤混合器６が設置される。この混合器６は、加圧送水装置４から流水検知装置７の一次側までの配管系統に設置してなる。
【００１５】
給水本管１２の途中からは給水支管１６が分岐して接続され、この給水支管１６には、該給水支管１６内に混合器６からの泡水溶液が流動するときこの泡水溶液の流動を感知して火災警報を発する流水検知装置７が接続されている。流水検知装置７の二次側には、閉鎖型泡ヘッド１の設置される防火領域Ａに配管される分岐管１７が分岐接続される。分岐管１７には閉鎖型泡ヘッド１が取り付けられる。
【００１６】
上記泡消火設備は、閉鎖型泡ヘッド１の設置される防火領域Ａ内において火災が発生すると、この火災位置近傍の閉鎖型泡ヘッド１が感熱し泡水溶液を放出し、流水検知装置７から加圧送水装置４へ起動信号が送られ、加圧送水装置４が起動し、混合器６から泡水溶液が流水検知装置７を経て閉鎖型泡ヘッド１へ流れる。
【００１７】
なお、混合装置６の一次側と加圧送水装置４との間の給水本管１２途中には仕切弁１８が設けられ、この仕切弁１８の二次側には圧力空気タンク１９が分岐接続され、給水本管１２の管内圧力を常時一定圧力に保持するようにしている。閉鎖型泡ヘッド１の設置される防火領域Ａ内において火災が発生すると、この火災位置近傍の閉鎖型泡ヘッド１が感熱し泡水溶液を放出するため、給水本管１２及び給水支管１６内の圧力が低下し、この圧力低下を圧力空気タンク１９に設けられた圧力スイッチ２０が検出する。圧力スイッチ２０からの検出信号は消火ポンプ制御盤８に送られ、消火ポンプ制御盤８は加圧送水装置４を起動する。
【００１８】
次に、本発明の、上記泡消火設備の泡消火薬剤混合器６の混合性能を点検する方法について説明する。
泡消火薬剤混合器６の点検に際しては、着色剤水溶液からなる擬似液を混合器６により水と比例混合し、その混合水溶液の吸光度を分光光度計による比色法で測定し、予め規定濃度に希釈した擬似液と吸光度の関係を求めて作成した検量線（図２参照）から、擬似液混合水溶液の混合率を求める。一方、混合器６のオリフィス径である条件を変えた時の、たん白泡原液と擬似液の混合率（％）を各々求め、得られた関係曲線（図３参照）から擬似液での混合濃度を測定することで、泡原液での混合器６の混合性能の是非を確認することができる。
【００１９】
上記擬似液には、例えば、水に着色剤として食品添加物である青色１号を６０ｐｐｍ添加したものを用いる。
【００２０】
このように、着色剤水溶液からなる擬似液を使用して泡消火薬剤混合器の点検を行うため、前述した従来の泡消火薬剤混合器の点検方法のように或る防火区域である駐車場等で泡を放出させることなく点検を行うことができ、泡の回収、運搬、廃棄処理にかかっていた手間や費用を削減でき、しかも着色剤水溶液からなる擬似液はＢＯＤ，ＣＯＤの値が小さいため、環境を悪化させる可能性もない。
なお、たん白泡原液の性能点検については、泡原液タンク５内の泡原液を少量採取し、別場所で簡易的に性能試験を実施する。この結果により、加圧送水装置４や混合装置６を含めた泡消火設備の総合的な性能点検を実施することができる。
【図面の簡単な説明】
【００２１】
【図１】泡消火設備の一例の構成図である。
【図２】予め規定濃度に希釈した擬似液と吸光度の関係（検量線）を示す図表である。
【図３】混合器の条件を変えた時のたん白泡原液混合率と擬似液混合率との関係を示す図表である。
【図１】
2008017976.tif 000002
【図２】
2008017976.tif 000003
【図３】
2008017976.tif 000004